(57)【特許請求の範囲】
【請求項１】
流体カップリング装置であって、
近位端、遠位端、前記ハウジングの前記近位端と前記遠位端の間に延びている長手方向軸を備えるハウジングであって、前記ハウジングが、
前記ハウジングの前記遠位端に面する開口部、および前記穴内に配置された近位面を備える一次穴であって、前記近位面が前記ハウジングの前記遠位端に面している一次穴と、
前記ハウジング内に形成された供給ライン経路であって、前記供給ライン経路が前記ハウジングの前記近位端から前記一次穴の前記近位面の開口部まで延びている供給ライン経路とをさらに備えるハウジングと、
前記一次穴に配置された近位端を備えるスリーブであって、前記スリーブが、
前記一次穴の前記近位面に面する密封端と、
近位端にコレット圧縮表面および遠位端に開口部を備えるコレット穴と、
前記スリーブの前記近位端から前記コレット穴へと延びているスリーブ経路とをさらに備えるスリーブと、
前記スリーブの前記コレット穴に配置された近位端を備えるコレットであって、前記コレットが、
コレット経路を取り囲む複数のコレットフィンガーをさらに備え、前記コレットフィンガーのそれぞれが、前記コレットの前記近位端に隣接した傾斜表面を備え、
前記ハウジングの前記近位端に向かう近位方向への前記コレットの動きが前記コレットフィンガーを前記コレット経路の中心に向かって押し進めるように、前記複数のコレットフィンガーの前記傾斜表面が前記スリーブの前記コレット圧縮表面と接触しているコレットと、
前記コレットの前記遠位端と接触する近位端を備えるコンプライアンス部材であって、前記コンプライアンス部材が弾性的に圧縮可能な弾性重合体を含み、かつ、前記コンプライアンス部材が前記スリーブの前記コレット穴に配置され前記長手方向軸に沿ってスライド及び弾性変形可能なように構成されるコンプライアンス部材と、
前記ハウジングと係合するコレット圧縮部材であって、
前記コレット圧縮部材が内面、前記内面から外側に向いている外面、および前記コレット圧縮部材を通して前記内面から前記外面まで形成されたチューブ経路を備え、
前記近位方向への前記ハウジングの前記近位端に向かう前記コレット圧縮部材の前進が、
前記コンプライアンス部材の前記近位端が前記コレットに押し付けられるように、前記コレット圧縮部材の前記内面を前記コンプライアンス部材の遠位端に押し付け、当該押し付けにより前記コンプライアンス部材が前記コレットの前記遠位端の方向にスライド及び弾性変形すること、
前記複数のコレットフィンガーの前記傾斜表面が、前記スリーブの前記コレット圧縮表面に押し付けられること、及び
前記スリーブの前記密封端が前記一次穴の前記近位面に向かって押し進められることを生じさせるコレット圧縮部材を備える、
流体カップリング装置。
【請求項２】
密封要素が前記一次穴の前記近位面と前記スリーブの前記密封端の間に配置され、前記コレット圧縮部材を前記ハウジングの前記近位端に向かって近位方向に前進させると、前記スリーブの前記密封端と前記一次穴の前記近位面との間の前記密封要素を圧縮する、請求項１に記載の装置。
【請求項３】
前記密封要素が、前記スリーブの前記密封端に取り付けられたＯリングを備える、請求項２に記載の装置。
【請求項４】
前記スリーブの前記密封端を形成する材料が、前記一次穴の前記近位面を形成する材料よりも柔らかい、請求項２に記載の装置。
【請求項５】
前記スリーブの前記密封端が、高分子材料から形成され、前記一次穴の前記近位面が金属材料から形成される、請求項４に記載の装置。
【請求項６】
前記コレット経路に配置されたガイド部材をさらに含み、前記ガイド部材が前記ガイド部材の遠位端のガイド表面から前記ガイド部材の近位端に向かって延びているガイド穴を含む、請求項１に記載の装置。
【請求項７】
前記一次穴、前記供給ライン経路、前記コレット穴、前記コレット経路、および前記チューブ経路が前記長手方向軸に沿って整列している、請求項１に記載の装置。
【請求項８】
前記スリーブがスリーブ高分子で作られ、前記コンプライアンス部材の前記弾性的に圧縮可能な弾性重合体が、前記スリーブ高分子のデュロメータよりも少ないデュロメータを持つ、請求項１に記載の装置。
【請求項９】
前記スリーブの前記密封端と前記コレットの前記近位端の間の距離が、前記スリーブの前記近位端と前記遠位端の間の前記スリーブの長さよりも小さく、前記距離と前記長さが前記長手方向軸に沿って測定される、請求項１に記載の装置。
【請求項１０】
前記コレットの前記近位端が、前記スリーブの遠位端よりも前記スリーブの前記近位端の方に近い、請求項１に記載の装置。
【請求項１１】
前記コンプライアンス部材が近位チューブおよび遠位チューブを備え、前記近位チューブが前記遠位チューブから近位に配置される、請求項１に記載の装置。
【請求項１２】
流体カップリング装置であって、
近位端、遠位端、前記ハウジングの前記近位端と前記遠位端の間に延びている長手方向軸を備えるハウジングであって、前記ハウジングが、
前記ハウジングの前記遠位端に面する開口部、および前記一次穴内に配置された近位面を備える一次穴であって、前記近位面が前記ハウジングの前記遠位端に面している一次穴と、
前記ハウジング内に形成された供給ライン経路であって、前記供給ライン経路が前記ハウジングの前記近位端から前記一次穴の前記近位面の開口部まで延びている供給ライン経路とをさらに備えるハウジングと、
前記一次穴に配置された近位端を備えるスリーブであって、前記スリーブが、
前記一次穴の前記近位面に向かって開く密封空洞と、
前記スリーブの遠位端にコレット圧縮表面を備えたコレット穴であって、前記コレット穴が前記スリーブの前記遠位端に向かって開くコレット穴と、
前記密封空洞と前記コレット穴との間に延びているスリーブ経路をさらに備えるスリーブと、
前記一次穴に前記スリーブを保持する保持機構と、
前記一次穴の前記近位面と前記スリーブの間の前記一次穴に配置された増幅ピストンであって、前記増幅ピストンが、
前記増幅ピストンの遠位端に隣接した密封先端であって、前記密封先端が前記増幅ピストンの前記遠位端に密封表面を備え、前記密封先端の少なくとも前記密封表面が前記スリーブの前記密封空洞内に配置される密封先端と、
前記増幅ピストンの近位端の高圧力面であって、前記高圧力面が前記一次穴の前記近位表面に面し、前記高圧力面が前記密封先端の前記密封表面よりも大きな表面積を持つ高圧力面と、
前記高圧力面と前記増幅ピストンの前記密封表面の間に延びているピストン経路と、
前記増幅ピストンの前記近位端と前記遠位端の間に配置されたピストンシールであって、前記一次穴の前記近位面の開口部からの流体は、前記増幅ピストンの外面と前記一次穴の内面の間を前記増幅ピストンの前記遠位端まで流れることが制限されるピストンシールとを備える増幅ピストンと、
前記増幅ピストンの密封表面と密封空洞の末端表面との間の前記スリーブの前記密封空洞に配置された密封要素であって、前記密封要素が、前記密封要素の近位端から前記密封要素の遠位端まで前記密封要素を通って延びている密封要素経路を備え、前記密封要素は、弾性的に圧縮可能な弾性重合体を含み、さらに前記流体カップリング装置を通した高圧力流体の送達が、前記密封要素が前記密封表面と前記密封空洞の前記末端表面との間で圧縮されるように、前記ピストンを遠位に押し進める密封要素と、
前記スリーブの前記コレット穴に配置された近位端を備えるコレットであって、前記コレットが、
コレット経路を取り囲む複数のコレットフィンガーをさらに備え、前記コレットフィンガーのそれぞれが、前記コレットの前記近位端に隣接した傾斜表面を備え、
前記ハウジングの前記近位端に向かう近位方向への前記コレットの動きが前記コレットフィンガーを前記コレット経路の中心に向かって押し進めるように、前記複数のコレットフィンガーの前記傾斜表面が前記スリーブの前記コレット圧縮表面と接触しているコレットと、
前記スリーブと係合するコレット圧縮部材であって、前記コレット圧縮部材が、内面と、前記内面から外側に向いた外面と、前記内面から前記外面まで前記コレット前記圧縮部材を通して形成されたチューブ経路とを備え、前記コレット圧縮部材を前記ハウジングの前記近位端に向かって前記近位方向に前進させると、前記複数のコレットフィンガーの前記傾斜表面を前記コレット圧縮表面に押し付けるコレット圧縮部材とを備え、
バイアス要素が前記一次穴に配置され、前記バイアス要素が前記スリーブから離れて近位にピストンを押し進めるよう構成される流体カップリング装置。
【請求項１３】
前記ハウジングの前記一次穴の中に前記スリーブを保持する前記保持機構が、前記一次穴の内面内に形成された第一のスナップ式機能および前記スリーブの外面内に形成された第二のスナップ式機能を備え、前記第一のスナップ式機能および前記第二のスナップ式機能が、前記スリーブおよび／または前記ハウジングの変形がない場合に前記一次穴から前記スリーブが外れるのを防止する、請求項１２のいずれか一つに記載の装置。
【請求項１４】
前記複数のコレットフィンガーが、前記コレット圧縮表面によって前記コレット経路の前記中心に向かって押し進められ、前記コレット経路が前記コレットフィンガーの間に概して円形の穴を形成する、請求項１に記載の装置。
【請求項１５】
前記コレット圧縮部材および前記ハウジングの一つまたは両方の回転が、前記コレット圧縮部材の内面を前記流体カップリングの前記近位端に向かって動かすように、前記コレット圧縮部材および前記ハウジングが互いにネジでかみ合っている、請求項１に記載の装置。
【請求項１６】
前記コレット圧縮部材が内側ナットおよび、前記内側ナットの上に適合する外側スリーブを備え、前記コレット圧縮部材の前記内面が前記内側ナット上に配置される、請求項１に記載の装置。
【請求項１７】
前記内側ナットおよび前記外側スリーブが、互いに向き合う複数の隆線を備え、前記長手方向軸の周りの前記外側スリーブの回転が、前記隆線が相互作用して前記内側ナットを回転するように押し進める、請求項１６に記載の装置。
【請求項１８】
前記外側スリーブが第一の方向に回転して、前記内側スリーブ上の前記隆線が前記内側ナット上の前記隆線上を滑る時、前記外側スリーブによって前記内側ナットに与えられる前記トルクが制限されるように、前記隆線がトルク制限構造を備える、請求項１７に記載の装置。
【請求項１９】
前記長手方向軸の周りの前記外側スリーブの前記第一の方向とは反対の第二の方向の回転が、前記外側スリーブ上の前記隆線と前記内側ナット上の前記隆線との間に絶対咬合をもたらす、請求項１８に記載の装置。
【発明の詳細な説明】
【技術分野】
【０００１】
本出願は、米国特許法第１１９条（ｅ）の定めにより、「注入フローシステムおよび流体カップリング」と題する米国仮特許出願第６１／３７３，０８０（２０１０年８月１２日出願）の優先権を主張し、これは参照によりその全体が本願に組み込まれる。
【０００２】
注入フローシステムおよび本システムに使用される流体カップリングが本明細書に記述されている。
【背景技術】
【０００３】
カテーテルはさまざまな異なる目的のために流体圧力を使用し得る。一部のカテーテルでは、さまざまな目的のために送達される流体を使用する流体噴流を供給するために、流体を一つ以上の管腔を通して、圧力下送達し得る。圧力下で流体を送達するために流体噴流を使用するカテーテルの一つのクラスは、一般的に血栓切除カテーテルと呼ばれる。このようなカテーテルは、血栓物質を血管（または他の身体管腔）から除去する処置を実施するために使用できる。除去される物質は、好ましくは、血栓切除カテーテルを通して身体から除去され得る。
本明細書に記述された流体カップリングと共に使用できる注入フローシステムの別のカテゴリーには、例えば、線維素溶解剤を注入する注入フローガイドワイヤが含まれる。このような注入フローガイドワイヤは、極めて小さな管腔を持ち、非常に小さいことが多く、そのため、このようなワイヤを圧着またはねじることなくつかむ能力は、本明細書に開示された流体カップリングによって大きく向上される。
一部の血栓切除カテーテルまたは注入フローガイドワイヤの例は、例えば、米国特許出願公開第ＵＳ２００８／０１８８８３１Ａ１号（Ｂｏｎｎｅｔｔｅ他）、米国特許第６，８７５，１９３号（Ｂｏｎｎｅｔｔｅ他）、米国特許第６，８０５，６８４号（Ｂｏｎｎｅｔｔｅ他）、米国特許第６，７５５，８０３（Ｌｅ他）、米国特許出願公開第ＵＳ２００６／００６４１２３Ａ１号（Ｂｏｎｎｅｔｔｅ他）、米国特許出願公開第ＵＳ２００７／０１２９６７９号（Ｂｏｎｎｅｔｔｅ他）、および米国特許出願公開第ＵＳ２００８／０３１２６７１号（Ｒｉｌｅｓ他）に記述されている。
この出願の発明に関連する先行技術文献情報としては、以下のものがある（国際出願日以降国際段階で引用された文献及び他国に国内移行した際に引用された文献を含む）。
【先行技術文献】
【特許文献】
【０００４】
【特許文献００１】  米国特許出願公開第２００８／０１０３４５６号明細書
【特許文献００２】  米国特許出願公開第２００８／０３１２６７１号明細書
【特許文献００３】  米国特許第４４４７０７７号明細書
【特許文献００４】  米国特許第５１０２３９３明細書
【特許文献００５】  米国特許出願公開第２０１０／００９４２１４号明細書
【特許文献００６】  米国特許第５７８８６７３号明細書
【特許文献００７】  米国特許第５０４６４８６号明細書
【特許文献００８】  米国特許第４９６６５８５号明細書
【特許文献００９】  米国特許第６２２４５７０号明細書
【特許文献０１０】  米国特許第６３５５０１６号明細書
【特許文献０１１】  米国特許出願公開第２００７／００６０８７８号明細書
【特許文献０１２】  欧州特許出願公開第０３１３８３６号明細書
【特許文献０１３】  米国特許第５２５００３４号明細書
【特許文献０１４】  米国特許第１４３６７０７号明細書
【特許文献０１５】  米国特許第４０３９２６６号明細書
【特許文献０１６】  米国特許第４７１００７５号明細書
【特許文献０１７】  米国特許第４７１０１７１号明細書
【特許文献０１８】  米国特許第４７８７７９４号明細書
【特許文献０１９】  米国特許第４９９２０１０号明細書
【特許文献０２０】  米国特許第５１４７１６４号明細書
【特許文献０２１】  米国特許第５２１７４３８号明細書
【特許文献０２２】  米国特許第６６１２９９０号明細書
【特許文献０２３】  米国特許第６６９４８３２号明細書
【特許文献０２４】  米国特許第６７８９９８６号明細書
【特許文献０２５】  米国特許出願公開第２００６／０１２９１２６号明細書
【特許文献０２６】  国際公開第２００７／０５３７７９号
【特許文献０２７】  米国特許出願公開第２００３／００４０７０５号明細書
【特許文献０２８】  欧州特許出願公開第０２５４８８５号明細書
【特許文献０２９】  米国特許第５１７８１５８号明細書
【特許文献０３０】  米国特許第５１８４６２７号明細書
【特許文献０３１】  米国特許第５２１１６３６号明細書
【特許文献０３２】  米国特許第５３２２５０８号明細書
【特許文献０３３】  米国特許第５３６８０３４号明細書
【特許文献０３４】  米国特許第５４７６４５０号明細書
【特許文献０３５】  米国特許第５５５４１１４号明細書
【特許文献０３６】  米国特許第５９５７９０１号明細書
【特許文献０３７】  米国特許第５９６８０１７号明細書
【特許文献０３８】  米国特許第６０２７４６１号明細書
【特許文献０３９】  米国特許第６１７９８１６号明細書
【特許文献０４０】  米国特許第６３８７０７１号明細書
【特許文献０４１】  米国特許第６４８８６７１号明細書
【特許文献０４２】  米国特許第６５３３７５１号明細書
【特許文献０４３】  米国特許第６５３３７６３号明細書
【特許文献０４４】  米国特許第６５３３７６７号明細書
【特許文献０４５】  米国特許第６８２４５５０号明細書
【特許文献０４６】  米国特許第６８５５１３６号明細書
【特許文献０４７】  米国特許第７１４１０４５号明細書
【特許文献０４８】  米国特許第６１８３４２０号明細書
【特許文献０４９】  米国特許第６１７４３１６号明細書
【特許文献０５０】  米国特許第６０７１２８５号明細書
【特許文献０５１】  米国特許第６０５０９７２号明細書
【特許文献０５２】  米国特許第５９６１５１０号明細書
【特許文献０５３】  米国特許第５８１０８７１号明細書
【特許文献０５４】  米国特許第５５４９５５７号明細書
【特許文献０５５】  米国特許第５５４９５５６号明細書
【特許文献０５６】  米国特許第５４１０７９７号明細書
【特許文献０５７】  米国特許第５３７８２３６号明細書
【特許文献０５８】  米国特許第５３２８４７２号明細書
【特許文献０５９】  米国特許第５０４５０６１号明細書
【特許文献０６０】  米国特許第４９７６６８９号明細書
【特許文献０６１】  米国特許第７３７４５６０号明細書
【特許文献０６２】  米国特許第７４２２５７９号明細書
【特許文献０６３】  米国特許第６２７３８８０号明細書
【特許文献０６４】  米国特許第５０８５６３５号明細書
【特許文献０６５】  米国特許出願公開第２００７／００７３２７１号明細書
【特許文献０６６】  米国特許出願公開第２００７／０１０６２４５号明細書
【特許文献０６７】  米国特許出願公開第２００５／０２０３４２５号明細書
【特許文献０６８】  米国特許出願公開第２００８／００２７３３４号明細書
【特許文献０６９】  米国特許出願公開第２００５／０１８２４３７号明細書
【特許文献０７０】  米国特許出願公開第２００２／０１３３１１７号明細書
【特許文献０７１】  米国特許出願公開第２００４／００９７８８０号明細書
【特許文献０７２】  米国特許第５９０８４０５号明細書
【特許文献０７３】  米国特許第５９３８６７２号明細書
【特許文献０７４】  米国特許第５９９７５５８号明細書
【特許文献０７５】  米国特許第６０８０１７０号明細書
【特許文献０７６】  米国特許第６１３５９９１号明細書
【特許文献０７７】  米国特許第６１７１３２８号明細書
【特許文献０７８】  米国特許第６２０３５６１号明細書
【特許文献０７９】  米国特許第６２３１５８８号明細書
【特許文献０８０】  米国特許第６２４５０８９号明細書
【特許文献０８１】  米国特許第５８６５７２１号明細書
【特許文献０８２】  米国特許第６１４６３７２号明細書
【特許文献０８３】  米国特許第６２４５００８号明細書
【特許文献０８４】  米国特許第６２１７５６７号明細書
【特許文献０８５】  米国特許第６２４１７０６号明細書
【特許文献０８６】  米国特許第７３３４６８１号明細書
【特許文献０８７】  米国特許第７２１９７９９号明細書
【特許文献０８８】  米国特許第４１６６８０７号明細書
【特許文献０８９】  米国特許第５０１４４９４号明細書
【特許文献０９０】  米国特許第５１９６２４５号明細書
【特許文献０９１】  米国特許第５３９９６５８号明細書
【特許文献０９２】  米国特許第５４７４１９４号明細書
【特許文献０９３】  米国特許第５５８３０４７号明細書
【特許文献０９４】  米国特許第５８８１５３４号明細書
【特許文献０９５】  米国特許第６１６１６９５号明細書
【特許文献０９６】  米国特許第６１６６１１６号明細書
【特許文献０９７】  米国特許第６４８５６５７号明細書
【特許文献０９８】  米国特許第６４９４３１４号明細書
【特許文献０９９】  米国特許第６９２７０６３号明細書
【特許文献１００】  米国特許第５７９４３２５号明細書
【特許文献１０１】  米国特許第６０３６７１５号明細書
【特許文献１０２】  米国特許第６１２３６９８号明細書
【特許文献１０３】  米国特許第４７５８２２３号明細書
【特許文献１０４】  米国特許第６１９０３５４号明細書
【特許文献１０５】  米国特許第６２５１０９３号明細書
【特許文献１０６】  米国特許第６４７５１８５号明細書
【特許文献１０７】  米国特許第５５０５６９９号明細書
【特許文献１０８】  米国特許第４６５３５３９号明細書
【特許文献１０９】  米国特許第４１２２５５６号明細書
【特許文献１１０】  米国特許第６５４４２７６号明細書
【特許文献１１１】  米国特許出願公開第２００７／００６０８８１号明細書
【特許文献１１２】  米国特許出願公開第２００８／００９７２９４号明細書
【特許文献１１３】  米国特許出願公開第２００４／００５０７４０号明細書
【特許文献１１４】  米国特許出願公開第２００１／００１４８２１号明細書
【特許文献１１５】  米国特許出願公開第２００４／００３９３０６号明細書
【特許文献１１６】  米国特許出願公開第２００３／００８８２６２号明細書
【特許文献１１７】  米国特許出願公開第２００３／００８８１９４号明細書
【特許文献１１８】  米国特許出願公開第２００１／００１６７０４号明細書
【特許文献１１９】  米国特許出願公開第２００４／００３９３０４号明細書
【特許文献１２０】  米国特許第５４１３５８１号明細書
【特許文献１２１】  米国特許第５２０７６５６号明細書
【特許文献１２２】  米国特許第４４６７００３号明細書
【特許文献１２３】  米国特許第６９０２５３５号明細書
【特許文献１２４】  米国特許第７００４９１４号明細書
【特許文献１２５】  米国特許第７０４８６９６号明細書
【特許文献１２６】  米国特許第７２２６４２５号明細書
【特許文献１２７】  米国特許第６５６９１５１号明細書
【特許文献１２８】  米国特許第６９６２７０７号明細書
【特許文献１２９】  米国特許第６５１７５１８号明細書
【特許文献１３０】  米国特許第６８７２１９２号明細書
【特許文献１３１】  米国特許第６８６９４１７号明細書
【特許文献１３２】  米国特許第５７７９７２１号明細書
【特許文献１３３】  米国特許第５８７９３６１号明細書
【特許文献１３４】  米国特許第６５２４３２３号明細書
【特許文献１３５】  米国特許第６８４３７９７号明細書
【特許文献１３６】  米国特許第６５６９１４７号明細書
【特許文献１３７】  米国特許第６５６２５４６号明細書
【特許文献１３８】  米国特許第６９０５５０５号明細書
【特許文献１３９】  米国特許第６８３０５７７号明細書
【特許文献１４０】  米国特許第６９３６０５６号明細書
【特許文献１４１】  米国特許第６３９６０５６号明細書
【特許文献１４２】  米国特許第７３１６６７８号明細書
【特許文献１４３】  米国特許第７３６７９８２号明細書
【特許文献１４４】  米国特許第６２４１７４４号明細書
【特許文献１４５】  米国特許出願公開第２００３／０２０８１３４号明細書
【特許文献１４６】  米国特許出願公開第２００５／００２０９９８号明細書
【特許文献１４７】  米国特許出願公開第２００３／００８８２６３号明細書
【特許文献１４８】  米国特許出願公開第２００４／００３１７２１号明細書
【特許文献１４９】  米国特許出願公開第２００２／００９６５２１号明細書
【特許文献１５０】  米国特許出願公開第２００７／００７３２３３号明細書
【特許文献１５１】  米国特許出願公開第２００４／０２１０１６４号明細書
【特許文献１５２】  米国特許出願公開第２００５／００８０３５７号明細書
【特許文献１５３】  米国特許出願公開第２００６／０２８２０１５号明細書
【特許文献１５４】  米国特許出願公開第２００４／０１３３１８５号明細書
【特許文献１５５】  米国特許出願公開第２００５／００７５６４７号明細書
【特許文献１５６】  米国特許出願公開第２００４／００９７９９５号明細書
【特許文献１５７】  米国特許出願公開第２００７／０１１８０７２号明細書
【特許文献１５８】  米国特許出願公開第２００４／００５９２８４号明細書
【特許文献１５９】  米国特許出願公開第２００４／００３９３１０号明細書
【特許文献１６０】  米国特許出願公開第２００６／００７４３１８号明細書
【特許文献１６１】  国際公開第Ｗ０  ０４／０１８０３２号
【特許文献１６２】  国際公開第Ｗ０  ０２／０９４３６４号
【特許文献１６３】  国際公開第Ｗ０  ０２／２４２７１号
【特許文献１６４】  国際公開第Ｗ０  ０４／０２８５９２号
【特許文献１６５】  米国特許第７２２０２４３号明細書
【特許文献１６６】  米国特許第６９３２８２８号明細書
【特許文献１６７】  米国特許第７１６９１６１号明細書
【特許文献１６８】  米国特許第６９４２６７８号明細書
【特許文献１６９】  米国特許第５７９５３２５号明細書
【特許文献１７０】  米国特許第４３３２２５４号明細書
【特許文献１７１】  米国特許第４５７３４７０号明細書
【特許文献１７２】  米国特許第４５７３９６６号明細書
【特許文献１７３】  米国特許第４６３６１９５号明細書
【特許文献１７４】  米国特許第６４６７１９号明細書
【特許文献１７５】  米国特許第４６５１７３８号明細書
【特許文献１７６】  米国特許第４７３３６５２号明細書
【特許文献１７７】  米国特許第４８３８２６８号明細書
【特許文献１７８】  米国特許第４８６５５８７号明細書
【特許文献１７９】  米国特許第５０５９１７６号明細書
【特許文献１８０】  米国特許第５０５９１７８号明細書
【特許文献１８１】  米国特許第５１０６３６３号明細書
【特許文献１８２】  米国特許第５１３５４８２号明細書
【特許文献１８３】  米国特許第５１６７２３９号明細書
【特許文献１８４】  米国特許第５１７１２２１号明細書
【特許文献１８５】  米国特許第５１９５９５５号明細書
【特許文献１８６】  米国特許第５２０９７２７号明細書
【特許文献１８７】  米国特許第５３２０６０４号明細書
【特許文献１８８】  米国特許第５３２４２６０号明細書
【特許文献１８９】  米国特許第５３３４１５３号明細書
【特許文献１９０】  米国特許第５３８０２８４号明細書
【特許文献１９１】  米国特許第５５２０６４５号明細書
【特許文献１９２】  米国特許第５６８８２３４号明細書
【特許文献１９３】  米国特許第５７１３９１７号明細書
【特許文献１９４】  米国特許第５７７５３２７号明細書
【特許文献１９５】  米国特許第５７７６１００号明細書
【特許文献１９６】  米国特許第５７７９６８８号明細書
【特許文献１９７】  米国特許第５７９２１７９号明細書
【特許文献１９８】  米国特許第５８０７３３０号明細書
【特許文献１９９】  米国特許第５８２７３２４号明細書
【特許文献２００】  米国特許第４８３２０２３号明細書
【特許文献２０１】  米国特許第５１７６６９２号明細書
【特許文献２０２】  米国特許第５５８４８４３号明細書
【特許文献２０３】  米国特許第３７７３２９０号明細書
【特許文献２０４】  米国特許第５５１４１０９号明細書
【特許文献２０５】  米国特許第５８３３６４４号明細書
【特許文献２０６】  米国特許第５９２５０１６号明細書
【特許文献２０７】  米国特許第６０２２３３６号明細書
【特許文献２０８】  米国特許第６１７６８４４号明細書
【特許文献２０９】  米国特許第５８３３６５０号明細書
【特許文献２１０】  米国特許第５８４３０２２号明細書
【特許文献２１１】  米国特許第６０２１３４０号明細書
【非特許文献】
【０００５】
【非特許文献０１】  Ｓｕｐｐｌｅｍｅｎｔａｌ  Ｅｕｒｏｐｅａｎ  Ｓｅａｒｃｈ  Ｒｅｐｏｒｔ  ｆｒｏｍ  ｒｅｌａｔｅｄ  Ｅｕｒｏｐｅａｎ  Ａｐｐｌｉｃａｔｉｏｎ，ｄａｔｅｄ  Ｓｅｐｔｅｍｂｅｒ  ２６，２０１１．
【非特許文献０２】  ＣＲＷ（Ｒａｄｉｏｎｉｃｓ）Ｄｉｓｐｏｓａｂｌｅ  Ｄｅｐｔｈ  Ｓｔｏｐｓ  Ｐｒｏｄｕｃｔ  Ｎｏ．ＤＳｌｌ，ＤＳＩ６，ＤＳＩ８，ＤＳ２１，ＤＳ２５  ａｎｄ  ＤＳ３０，ＣＲＷ  Ｃａｔａｌｏｇ  Ｐｒｏｄｕｃｔ  Ｓｈｅｅｔ，２００６．
【非特許文献０３】  Ｉｎｔｅｒｎａｔｉｏｎａｌ  Ｓｅａｒｃｈ  Ｒｅｐｏｒｔ  ｏｆ  Ｒｅｌａｔｅｄ  ＰＣＴ  Ｐｕｂｌｉｃａｔｉｏｎ  Ｗ０２００８１１５７２０４  Ｄａｔｅｄ  １２−１７−２００９
【非特許文献０４】  Ｉｎｔｅｒｎａｔｉｏｎａｌ  Ｐｒｅｌｉｍｉｎａｒｙ  Ｒｅｐｏｒｔ  ｏｎ  Ｐａｔｅｎｔａｂｉｌｉｔｙ  ｏｆ  Ｒｅｌａｔｅｄ  ＰＣＴ  Ｐｕｂｌｉｃａｔｉｏｎ  Ｗ０２００８１１５７２０４  Ｄａｔｅｄ  １２−９−２００８．
【非特許文献０５】  ＩＢ  Ｒｅｐｏｒｔ  ｏｎ  Ｐａｔｅｎｔａｂｉｌｉｔｙ  ｍａｉｌｅｄ  ２００９−１２−３０  ｉｎ  ｃｏｒｒｅｓｐｏｎｄｉｎｇ  Ｉｎｔｅｒｎａｔｉｏｎａｌ  Ｐａｔｅｎｔ  Ａｐｐｌｉｃａｔｉｏｎ  ＰＣＴｌＵＳ０８／６６６４６．
【非特許文献０６】  Ｓｕｐｐｌｅｍｅｎｔａｒｙ  Ｅｕｒｏｐｅａｎ  Ｓｅａｒｃｈ  Ｒｅｐｏｒｔ  ｉｓｓｕｅｄ  ２００９−１２−０４  ｉｎ  ｃｏｒｒｅｓｐｏｎｄｉｎｇ  ＥＰ  ０５７７２４４４．５．
【非特許文献０７】  ＰｒｏＳｔｒｅａｍ  Ｉｎｆｕｓｉｏｎ  Ｗｉｒｅ  Ｄａｔａ  Ｓｈｅｅｔ，ＥＶ３，Ｓｅｐｔｅｍｂｅｒ  ２００７．
【非特許文献０８】  ＭｉｃｒｏＭｅｗｉ  Ｍｕｌｔｉｐｌｅ  Ｓｉｄｅｈｏｌｅ  Ｉｎｆｕｓｉｏｎ  Ｃａｔｈｅｔｅｒ  Ｄａｔａ  Ｓｈｅｅｔ，Ｍｉｃｒｏ  Ｔｈｅｒａｐｅｕｔｉｃｓ，Ｉｎｃ．，Ｆｅｂｒｕａｒｙ  ２００５．
【非特許文献０９】  ＵＳ  Ｐａｔｅｎｔ  Ａｐｐｌｉｃａｔｉｏｎ  １１／９８０，１６４  ｆｉｌｅｄ  Ｏｃｔｏｂｅｒ  ３０，２００７，"ＩＮＦＵＳＩＯＮ  ＦＬＯＷ  ＧＵＩＤＥＷＩＲＥ  ＳＹＳＴＥＭ"，Ｒｉｌｅｓ．
【非特許文献１０】  Ｉｎｔｅｒｎａｔｉｏｎａｌ  Ｓｅａｒｃｈ  Ｒｅｐｏｒｔ  ｆｏｒ  ｒｅｌａｔｅｄ  Ｉｎｔｅｒｎａｔｉｏｎａｌ  Ａｐｐｌｉｃａｔｉｏｎ  ＰＣＴ／ＵＳ２００８／０６６６４６，９  Ｄｅｃｅｍｂｅｒ  ２００８．
【非特許文献１１】  ＵＳ  Ｐａｔｅｎｔ  Ａｐｐｌｉｃａｔｉｏｎ  １１／７０２，９９０  ｆｉｌｅｄ  Ｆｅｂｒｕａｒｙ  ６，２００７，"ＭＩＮＩＡＴＵＲＥ  ＦＬＥＸＩＢＬＥ  ＴＨＲＯＭＢＥＣＴＯＭＹ  ＣＡＴＨＥＴＥＲ"，Ｂｏｎｎｅｔｔｅ．
【非特許文献１２】  ＵＳ  Ｐａｔｅｎｔ  Ａｐｐｌｉｃａｔｉｏｎ  １１／７０２，９９５  ｆｉｌｅｄ  Ｆｅｂｒｕａｒｙ  ６，２００７，"ＭＩＮＩＡＴＵＲＥ  ＦＬＥＸＩＢＬＥ  ＴＨＲＯＭＢＥＣＴＯＭＹ  ＣＡＴＨＥＴＥＲ"，Ｂｏｎｎｅｔｔｅ．
【非特許文献１３】  ＵＳ  Ｐａｔｅｎｔ  Ａｐｐｌｉｃａｔｉｏｎ  １１／２９４，００６  ｆｉｌｅｄ  Ｄｅｃｅｍｂｅｒ  ５，２００５，"ＥＸＨＡＵＳＴ−ＰＲＥＳＳＵＲＥ−ＯＰＥＲＡＴＥＤ  ＢＡＬＬＯＯＮ  ＣＡＴＨＥＴＥＲ  ＳＹＳＴＥＭ"，Ｂｏｎｎｅｔｔｅ．
【非特許文献１４】  ＡＮＧＩＯＪＥＴ  Ｐｕｍｐ  Ｓｅｔ，Ｐｏｓｓｉｓ  Ｍｅｄｉｃａｌ，Ｉｎｃ．ｃｏｒｐｏｒａｔｅ  ｗｅｂｓｉｔｅ（ｗｗｗ．ｐｏｓｓｉｓ．ｃｏｍ）．
【発明の概要】
【課題を解決するための手段】
【０００６】
注入フローシステムおよび流体カップリングが本明細書に記述されている。システムは、供給ラインと送達チューブの間の流体連結を作るために使用される一つ以上の流体カップリングを含み得る。
【０００７】
本明細書に記述された流体カップリングは、送達チューブの周りに密封性を提供する機能と、流体カップリング内に送達チューブを保持する機能を分離することが好ましい。カップリングを通過する流体が送達チューブの周りに漏れるのではなく、送達チューブを通過しなければならないように、送達チューブの周りに提供された密封は、送達チューブの外面の周りの漏れを防ぐことが好ましい。送達チューブを流体カップリング内に保持するために使用される構造は、カップリング内に存在する流体圧力のために、送達チューブがカップリングから放出されるのを防ぐことが好ましい。同じ構造が、密封およびチューブ保持の両方に使用される従来的なコレットベースの流体カップリングとは対照的に、分離された機能は、流体カップリング内の異なる構造によって実施される。しかし、密封および保持を行なうために使用される構造は、他の機能も提供することができ（すなわち、密封構造は、少なくとも部分的に保持を支援する可能性がある）、送達チューブ保持構造は潜在的に、送達チューブの外部の周りを少なくとも部分的に密封し得ることが理解されるべきである。しかし、密封機能を、保持構造によって効率的に行なうことはできず、保持機能を密封構造によって効率的に行なうこともできない。
【０００８】
本明細書に記述したシステムは血栓切除カテーテルを使用し得るが、血栓切除カテーテルは例証目的のみで記述される。本明細書に記述された注入システムおよび流体カップリングは、２つの異なるチューブ、または他の流体送達ラインの間の流体連結が必要な任意のカテーテルと共に使用され得る。これらのシステムは、注入フローガイドワイヤと共にも使用でき、その送達チューブはフローワイヤと呼ばれることがある。
【０００９】
一つの態様では、本明細書に記述された流体カップリングのいくつかの実施形態は、近位端、遠位端、およびハウジングの近位端および遠位端の間に延びている長手方向軸を備えるハウジングを含み得る。ハウジングは、ハウジングの遠位端に面した開口部および穴の中に配置されたハウジングの遠位端に面する近位面を備える一次穴およびハウジング内に形成された供給ライン経路とをさらに備え、供給ライン経路はハウジングの近位端から一次穴の近位面の開口部まで延びている。流体カップリングは、一次穴の中に配置された近位端を備えるスリーブをさらに含み、ここでスリーブは、一次穴の近位面に面する密封端、近位端のコレット圧縮表面および遠位端に開口部を備えるコレット穴、およびスリーブの近位端からコレット穴に延びているスリーブ経路をさらに備える。流体カップリングは近位端および遠位端を備えるコレットも含み、ここでコレットの少なくとも近位端はスリーブのコレット穴の中に配置され、コレットは、コレット経路を取り囲む複数のコレットフィンガーをさらに備え、コレットフィンガーのそれぞれは、コレットの近位端に隣接した傾斜表面を備え、複数のコレットフィンガーの傾斜表面は、ハウジングの近位端に向かう近位方向のコレットの動きがコレットフィンガーをコレット経路の中心に向かって押し進めるように、スリーブのコレット圧縮表面と接触している。流体カップリングは、コレットの遠位端と接触している近位端を備え、弾性的に圧縮可能な弾性重合体を含むコンプライアンス部材、およびハウジングと係合し、内面と、内面から外側に向いた外面と、内面から外面までコレット圧縮部材を通して形成されるチューブ経路とを備えたコレット圧縮部材も含む。コレット圧縮部材を、ハウジングの近位端に向かって近位方向に前進させると次のことが引き起こされる：コンプライアンス部材の近位端がコレットに押し付けられるように、コレット圧縮部部材の内面がコンプライアンス部材の遠位端に押し付けられ、複数のコレットフィンガーの傾斜表面がスリーブのコレット圧縮表面に押し付けられ、スリーブの密封端は一次穴の近位面に向かって押される。
【００１０】
本明細書に記述された流体カップリングの一部の実施形態では、密封要素は一次穴の近位面とスリーブの密封端の間に配置され、ここでコレット圧縮部材をハウジングの近位端に向かって近位方向に前進させると、スリーブの密封端と一次穴の近位面との間の密封要素を圧縮する。一部の実施形態では、密封要素は、スリーブの密封端に取り付けられたＯリングを備える。
【００１１】
本明細書に記述された流体カップリングの一部の実施形態では、スリーブの密封端を形成する材料は、一次穴の近位面を形成する材料よりも柔らかい。例えば、一部の実施形態では、スリーブの密封端は、高分子材料から形成されることがあり、一次穴の近位面は金属材料から形成される。
【００１２】
本明細書に記述された流体カップリングの一部の実施形態では、ガイド部材はコレット経路内に配置することができ、ここでガイド部材は、ガイド部材の遠位端のガイド表面からガイド部材の近位端に向かって延びているガイド穴を備える。
【００１３】
本明細書に記述された流体カップリングの一部の実施形態では、一次穴、供給ライン経路、コレット穴、コレット経路、およびチューブ経路は、長手方向軸に沿って整列している。
【００１４】
本明細書に記述された流体カップリングの一部の実施形態では、供給チューブはハウジングの供給穴の中に固定して取り付けられており、ここで供給チューブはハウジングの近位端から遠ざかって近位方向に延びている。
【００１５】
本明細書に記述された流体カップリングの一部の実施形態では、スリーブはスリーブ高分子で作られ、ここでコンプライアンス部材の弾性的に圧縮可能な弾性重合体は、スリーブ高分子のデュロメータよりも少ないデュロメータを持つ。
【００１６】
本明細書に記述された流体カップリングの一部の実施形態では、スリーブの密封端とコレットの近位端の間の距離は、スリーブの近位端と遠位端の間のスリーブの長さよりも小さく、ここで距離と長さは長手方向軸に沿って測定された。
【００１７】
本明細書に記述された流体カップリングの一部の実施形態では、コレットの近位端は、スリーブの遠位端よりもスリーブの近位端の方に近い。
【００１８】
本明細書に記述された流体カップリングの一部の実施形態では、コレット圧縮部材およびハウジングの一つまたは両方の回転が、コレット圧縮部材の内面を流体カップリングの近位端に向かって動かすように、コレット圧縮部材およびハウジングは、互いにネジでかみ合っている。
【００１９】
本明細書に記述された流体カップリングの一部の実施形態では、コンプライアンス部材は、近位チューブおよび遠位チューブを備え、ここで近位チューブは遠位チューブから隣接して配置される。一部の実施形態では、遠位チューブは、弾性的に圧縮可能な弾性重合体で作られる。
【００２０】
別の態様では、本明細書に記述された流体カップリングの一部の実施形態は、近位端、遠位端、およびハウジングの近位端と遠位端の間に延びている長手方向軸を備えるハウジングを含み、ここでハウジングは、ハウジングの遠位端に面する開口部および一次穴の中に配置された近位面を備え、近位面がハウジングの遠位端に面する一次穴、およびハウジング内に形成された供給ライン経路であって、供給ライン経路がハウジングの近位端から一次穴の近位面の開口部まで延びている供給ライン経路をさらに備える。流体カップリングは、一次穴の中に配置された近位端を備えるスリーブをさらに含み、ここでスリーブは、一次穴の近位面に向かって開口する密封空洞と、スリーブの遠位端にコレット圧縮表面を備えるコレット穴であって、コレット穴がスリーブの近位端に向かって開いたコレット穴と、密封空洞とコレット穴の間に延びているに延びているスリーブ経路をさらに備える。に流体カップリングは、スリーブを一次穴の中に保持する保持機構、および一次穴の中の一次穴の近位面とスリーブの間に配置された増幅ピストンをさらに含み、ここで、増幅ピストンは、増幅ピストンの遠位端に隣接する密封先端であって、密封先端が増幅ピストンの遠位端に密封表面を備え、密封先端の少なくとも密封表面がスリーブの密封空洞に配置されている密封先端と、増幅ピストンの近位端の高圧力面であって、高圧力面が一次穴の近位面に面し、高圧力面が密封先端の密封表面よりも大きな表面積を占める高圧力面と、高圧力面と増幅ピストンの密封表面の間に延びているピストン経路を備える。ピストンシールは、増幅ピストンの近位端と遠位端の間に配置され、ここで一次穴の近位面の開口部からの流体は、増幅ピストンの外面と一次穴の内面の間を増幅ピストンの遠位端まで流れることが制限される。流体カップリングは、増幅ピストンの密封表面と密封空洞の末端表面との間のスリーブの密封空洞に配置された密封要素をさらに含み、ここで密封要素は、密封要素の近位端から密封要素の遠位端まで密封要素を通って延びている密封要素経路を備え、ここで密封要素は、弾性的に圧縮可能な弾性重合体を含み、さらに流体カップリング装置を通した高圧力流体の送達は、密封要素が密封表面と密封空洞の末端表面との間で圧縮されるように、ピストンを遠位に押し進める。コレットも流体カップリングに含まれ、コレットはスリーブのコレット穴の中に配置された近位端を備え、ここでコレットは、コレット経路を取り囲む複数のコレットフィンガーをさらに備え、コレットフィンガーのそれぞれは、コレットの近位端に隣接した傾斜表面を備え、複数のコレットフィンガーの傾斜表面は、ハウジングの近位端に向かう近位方向のコレットの動きがコレットフィンガーをコレット経路の中心に向かって押し進めるように、スリーブのコレット圧縮表面と接触している。流体カップリングは、スリーブと係合するコレット圧縮部材をさらに含み、コレット圧縮部材が、内面と、内面から外側に向いた外面と、内面から外面までコレット圧縮部材を通して形成されたチューブ経路とを備え、コレット圧縮部材をハウジングの近位端に向かって近位方向に前進させると、複数のコレットフィンガーの傾斜表面をコレット圧縮表面に押し付ける。
【００２１】
本明細書に記述された流体カップリングの一部の実施形態では、バイアス要素は一次穴の中に配置され、バイアス要素はピストンを近位にスリーブから遠くに押し進める。
【００２２】
本明細書に記述された流体カップリングの一部の実施形態では、ハウジングの一次穴の中にスリーブを保持する保持機構は、一次穴の内面内に形成された第一のスナップ式機能およびスリーブの外面内に形成された第二のスナップ式機能を備え、ここで第一のスナップ式機能および第二のスナップ式機能は、スリーブおよび／またはハウジングの変形がない場合に一次穴からスリーブが外れるのを防止する。
【００２３】
本明細書に記述された流体カップリングの一部の実施形態では、ピストンシールは、ピストンの外面の周りに位置付けられたＯリングを備える。
【００２４】
本明細書に記述された流体カップリングの一部の実施形態では、一次穴、密封空洞、コレット穴、およびコレット経路は、長手方向軸に沿って整列している。
【００２５】
本明細書に記述された流体カップリングの一部の実施形態では、供給チューブはハウジングの供給穴の中に固定して取り付けられており、ここで供給チューブはハウジングの近位端から遠ざかって近位方向に延びている。
【００２６】
本明細書に記述された流体カップリングの一部の実施形態では、コレット圧縮部材およびハウジングの一つまたは両方の回転が、コレット圧縮部材の内面を流体カップリングの近位端に向かって動かすように、コレット圧縮部材およびハウジングは、互いにネジでかみ合っている。
【００２７】
本明細書に記述された流体カップリングおよび注入フローシステムの一部の実施形態では、コレット圧縮部材は、内側ナットおよび内側ナットの上に取り付けられた外側スリーブを備え、ここでコレット圧縮部材の内面は、内側ナット上に配置される。一部の実施形態では、内側ナットおよび外側スリーブは互いに向き合う複数の隆線を備え、ここで長手方向軸の周りの外側スリーブの回転は、隆線が相互作用して内側ナットを回転するように押し進める。一部の実施形態では、外側スリーブが第一の方向に回転して、内側スリーブ上の隆線が内側ナット上の隆線上を滑る時、外側スリーブによって内側ナットに与えられるトルクが制限されるように、隆線はトルク制限構造を備える。一部の実施形態では、長手方向軸の周りの外側スリーブの第一の方向とは反対の第二の方向の回転は、外側スリーブ上の隆線と内側ナット上の隆線との間に絶対咬合をもたらす。
【００２８】
別の態様では、本明細書に記述の注入フローシステムの一部の実施形態は、流体供給装置と、流体供給装置に接続された近位端を備える供給チューブであって、遠位端で終了する供給チューブと、供給チューブの遠位端および送達チューブの近位端に取り付けられた流体カップリングを通して供給チューブの遠位端と流体連通している近位端を備える送達チューブとを含み得る。注入フローシステムに使用される流体カップリングは、本明細書に記述された任意の流体カップリングであり得る。
【００２９】
本明細書に記述された注入フローシステムの一部の実施形態では、流体供給装置が供給チューブに１０，０００ｐｓｉ以上の圧力で流体を送達する時、流体カップリングは供給チューブから送達チューブに流体を送達することができる。一部の実施形態では、送達チューブは１ミリメートル以下の外径である。一部の実施形態では、送達チューブは０．５ミリメートル以下の外径である。
【００３０】
本明細書に記述された注入フローシステムの一部の実施形態では、流体供給装置が供給チューブに１５，０００ｐｓｉ以上の圧力で流体を送達する時、流体カップリングは供給チューブから送達チューブに流体を送達することができる。一部の実施形態では、送達チューブは１ミリメートル以下の外径である。一部の実施形態では、送達チューブは０．５ミリメートル以下の外径である。
【００３１】
「好ましい」および「好ましくは」という言葉は、特定の状況下で特定の利益を提供し得る、本明細書に記述されたカテーテルおよび方法の実施形態を参照する。しかし、他の実施形態も、同じまたは他の状況下で好適なことがある。さらに、一つ以上の好適実施形態の記述は、他の実施形態が有用でないことを暗示するものではなく、また本開示の範囲から他の実施形態を除外することを意図しない。
【００３２】
本明細書で使用される場合、「ａ」、「ａｎ」、「ｔｈｅ」、「少なくとも一つの」および「一つ以上の」は互換的に使用される。従って、例えば、「一つのみの流体カップリング」に明示的に制限されていない限り、「ａ」流体カップリングは、一つの流体カップリングまたは複数の流体カップリングを意味し得る。
【００３３】
「および／または」という用語は、リストされる要素の一つまたはすべて、またはリストされた要素の任意の二つ以上の組み合わせを意味する。
【００３４】
上記の要約は各実施形態または本概念のすべての実施を説明することを意図していない。むしろ、本明細書に記述された概念のより完全な理解は、図面の添付図を考慮して、以下の例証的実施形態の説明および請求項を参照することにより明らかになり理解されるであろう。
【図面の簡単な説明】
【００３５】
【図１】図１は、本明細書に記述されたように流体送達カテーテルで使用できる一つの例証的流体カップリングの分解図である。
【図２】図２は、図１に示される流体カップリングの断面図である（流体カップリングの組立後）。
【図３】図３は、図１および２の流体カップリングの一部の構成要素の分解断面図である。
【図３Ａ】図３Ａは、図３のライン３Ａ−３Ａに沿ってコレットの近位端から見た端面図である。
【図３Ｂ】図３Ｂは、コレットフィンガーの圧縮後の図３Ａの代替的図である。
【図４】図４は、図１および２の流体カップリングの一部の構成要素の分解断面図である。
【図５】図５は、図４のライン５−５に沿って見た、コレット圧縮部材の内側ナットの外面の図である。
【図６】図６は、図４のライン６−６に沿って見た、コレット圧縮部材の外側スリーブの内面の図である。
【図７Ａ】図７Ａは、コレット圧縮部材をハウジング上に締め付ける（すなわち、コレット圧縮部材を近位方向に前進させる）時の、隆線の間の関係を示す概略図である。
【図７Ｂ】図７Ｂは、コレット圧縮部材をハウジング上で緩める（すなわち、コレット圧縮部材を遠位方向に前進させる）時の、隆線の間の関係を示す概略図である。
【図８】図８は、本明細書に記述されたように流体カップリングを含むシステムの一つの例証的実施形態を示す。
【図９】図９は、本明細書に記述されたような流体送達カテーテルで使用できる一つの代替的流体カップリングの分解図である。
【図１０】図１０は、図９に示される流体カップリングの断面図である（流体カップリングの組立後）。
【図１１】図１１は、図１０に見られるような、ハウジング２２０とスリーブ２４０の間に提供された保持機構の拡大断面図である。
【発明を実施するための形態】
【００３６】
例証的実施形態の以下の詳細説明では、その一部を形成し、例証、カテーテルの特定実施形態および方法として示される、図面の添付図を参照する。当然のことながら、他の実施形態を使用することができ、本開示の範囲を逸脱することなく、構造変更を行ない得る。
【００３７】
図１は、本明細書に記述されたような、流体カップリングの一部の実施形態に提供され得るさまざまな構成要素を示す拡大組立図であり、一方図２は、構成要素を組み立てた後の流体カップリング１０の拡大断面図である。図３は、近位端から遠位端に向かって前進する、図１および２の流体カップリングの一部の構成要素の分解断面図であり、一方図４は、遠位端から近位端に向かって前進する、図１および２の流体カップリングの一部の構成要素の拡大断面図である。カップリング１０は、供給ライン１４と送達チューブ１６の間の流体連結を達成するために使用される。
【００３８】
流体カップリング１０の描写実施形態は、近位端１１および遠位端１２を含み、流体カップリング１０の構成要素は長手方向軸１３に沿って組み立てられる。本明細書に記述の流体カップリングのさまざまな構成要素は、近位端および／または遠位端を持つものとして記述され得る。本明細書で使用される場合、任意のこのような構成要素の近位端は、流体カップリング１０の近位端１１に最も近い構成要素の端部であり、任意のこのような構成要素の遠位端は、流体カップリング１０の遠位端１２に最も近い構成要素の端部である。
【００３９】
図１〜４に示される流体カップリング１０は、ハウジング２０、ハウジング２０内に納まるスリーブ４０、スリーブ４０内に納まるコレット５０、およびスリーブ４０の遠位端上でスリーブ４０内に少なくとも部分的に納まるコンプライアンス部材６０を含む。流体カップリング１０は、圧縮部材８０、および遠位端からハウジング２０内にさまざまな構成要素を保持する遠位キャップ部材９０も含む。図１〜４の流体カップリング１０は、スリーブ４０内に納まるオプションのガイド部材７０も含む。
【００４０】
流体カップリング１０のハウジング２０は、流体カップリング１０の遠位端１２に面する開口部２７を持つ一次穴２２を含む。一次穴２２は、その近位端（すなわち、流体カップリング１０の近位端１１に最も近い一次穴２２の端部）に近位面２３を含む。
【００４１】
ハウジング２０は、そこに形成された供給ライン経路２６も含み、供給ライン経路２６を遠位方向（すなわち、流体カップリング１０の遠位端１２の方へ）に通過する流体が近位面２３の開口部２５を通って一次穴２２に向かって送達されるように、供給ライン経路２６はハウジング２０の近位端２１から一次穴２２の近位面２３の開口部２５まで延びている。
【００４２】
流体カップリング１０の近位端１１から流体カップリング１０中に流体を送達するために、供給ライン１４（図２に示される）を供給ライン経路２６の中に挿入できるように、供給ライン経路２６は十分大きいことが好ましい。
【００４３】
描写実施形態では、ハウジング２０は、ハウジングインサート２８および近位キャップ３０の形態で、２つのサブ構成要素で提供される。このような実施形態では、（図２に示されるように）供給ライン経路２６に挿入された供給ライン１４は、ハウジングインサート２８に固定して取り付けられることが好ましい場合がある。供給ライン１４と供給ライン経路２６の間の取り付けは、任意の適切な技術で行ない得る。供給ライン１４およびハウジングインサート２８は金属（例えば、チタン、ステンレス鋼など）で作られ、供給ライン１４は、供給ライン１４とハウジングインサート２８の間の周縁重ね溶接で、ハウジングインサート２８に取り付けられ得る（図２に示されるゾーン２９）。
【００４４】
ハウジングインサート２８は、近位キャップ３０の空洞３２内に配置される。一部の実施形態では、空洞３２内のハウジングインサート２８の回転が制限されるように、ハウジングインサート２８は近位キャップ３０に固定して取り付けられてもよく、他の実施形態では、ハウジングインサート２８は、空洞３２内で長手方向軸１３の周りで回転することが可能であり得る。
【００４５】
さらに、流体カップリング１０の描写実施形態は、ハウジング２０に取り付けられた供給ライン１４が供給ライン経路２６に入る前に張力緩和環３４の管腔３５を通って延びているように、ハウジング２０の近位端２１に取り付けられた張力緩和環３４を含む。張力緩和環３４は、供給ライン１４にサポートを提供して、供給ライン１４が流体カップリング１０の近位端１１に入る点で、供給ライン１４の曲がりを制限する。追加的な張力緩和（非表示）も、送達チューブにおける同様の目的で、遠位端上に使用し得る。張力緩和に使用される材料は弾性的に柔軟であることが好ましいことがあるが、張力緩和環３４は、多くの異なる材料で製造できる。一部の潜在的に適切な材料の例には、ウレタン、シリコン、エチレンプロピレンジエンモノマー（ＥＰＤＭ）ゴム、熱可塑性ポリエステルエラストマー（例えば、ＨＹＴＲＥＬ（ＤｕＰｏｎｔから入手可能））、熱可塑性エラストマー（例えば、ＳＡＮＴＯＰＲＥＮＥ（Ｅｘｘｏｎ  Ｍｏｂｉｌ  Ｃｏｒｐｏｒａｔｉｏｎから入手可能））などが含まれるが、これに限定されない。
【００４６】
近位キャップ３０は、好ましくは、例えばフィン３６、またはハウジング２０の長手方向軸１３の周りの回転に関しての手動制御を支援できる他の構造などの外部機能を含み得る。一部の実施形態では、ハウジングインサート２８は、好ましくは金属（例えばステンレス鋼、真ちゅうなど）で作られ得る一方、近位キャップ３０は、好ましくは、高分子材料（例えば、ポリエステル、ポリカーボネートなど）で作られ得る。さらに、張力緩和環３４は、任意の適切な技術（例えば、接着剤、オーバーモールド、溶接（熱、化学など）、スナップ取り付け、摩擦適合など）で近位キャップ３０に固定して取り付けられ得る。
【００４７】
ハウジング２０は、好ましくは、本明細書に記述のように、ハウジング２０と圧縮部材８０の間および／またはその中に配置された構成要素を圧縮するために、圧縮部材８０上のねじ山８７と協働するねじ山２４も含み得る。ハウジングインサート２８を空洞３２内に受け入れる近位キャップ３０を含む一部の実施形態（描写実施形態など）では、ねじ山２４は、（描写されるように）近位キャップ３０上および／またはハウジングインサート２８上に提供され得る。
【００４８】
流体カップリング１０はスリーブ４０も含み、スリーブ４０の少なくとも近位端は、ハウジング２０の一次穴２２内に配置される。描写実施形態では、スリーブ４０の遠位端４２は一次穴２２から延びているが、このような配置は必要ではない（すなわち、一部の実施形態では、スリーブ４０の遠位端４２は、ハウジング２０の一次穴２２内に配置され得る）。
【００４９】
スリーブ４０は、一次穴２２の近位面２３に面する密封端４３をさらに含む。一部の実施形態では、密封要素４４を提供することができ、これは一次穴２２の近位面２３とスリーブ４０の密封端４３の間に配置され得る。一部の実施形態では、本明細書で記述したようにコレット圧縮部材８０を流体カップリング１０の近位端１１に向かって近位方向に前進させると、スリーブ４０の密封端４３と一次穴２２の近位面２３との間の密封要素４４を圧縮する。
【００５０】
描写実施形態では、密封要素４４は、圧縮可能なＯリングの形態であるが、密封要素４４は他の実施形態ではさまざまな他の形態（例えば、ガスケットなど）を取り得る。描写されたＯリングは円形の断面形状を持つが、他の断面形状のＯリング／ガスケットを使用することができる（例えば、正方形、台形、分葉形（例えば、四分葉四分シール）など）。また、描写実施形態の密封要素４４は、スリーブ４０に取り付けられる（密封端４３に挿入される）が、密封要素４４はその他の方法として、他の実施形態では一次穴２２の近位面２３に取り付けることができ、さらに他の実施形態では、密封要素４４は、ハウジング２０またはスリーブ４０に取り付けることなく、近位面２３と密封端４３の間に単に配置することができる。
【００５１】
密封要素４４に加えて、一部の実施形態では、シールを一次穴２２の近位面２３とスリーブ４０の密封端４３の間に形成し得る。シールは、例えば近位面２３に対するスリーブ４０の密封端４３の圧縮によって形成され得る。一部の実施形態では、密封端４３は、好ましくは、一次穴２２の近位面２３に使用される材料よりも柔らかい材料で作られ得る。柔らかさは、例えば、ショアＡ硬さスケールまたは他の適切な相当物を使用して測定し得る。スリーブ４０の外面と一次穴２２の間の供給チューブ１４からの流体の流れが防止される（または少なくとも実質的に制限される）ように、スリーブ４０の密封端４３に使用されるより柔らかい材料は、一部の実施形態では、一次穴２２の近位面２３の形状に適合して、密封要素４４の外側にシールを形成する。
【００５２】
一部の実施形態では、密封端４３は、高分子材料で作られ得る一方、近位面２３は金属で作られ、また他の実施形態では、密封端４３は、一次穴２２の近位面２３に使用される金属よりも柔らかい金属で作られ得る。例えば、密封端４３（およびおそらくすべての）スリーブ４０は、例えば、ナイロンまたは別の高分子（例えば、アセタール、ポリカーボネート、アクリル、硬質ポリウレタンなど）で作ることができる一方、一次穴２２の近位面２３は金属（例えばステンレス鋼、真ちゅうなど）であり得る。
【００５３】
スリーブ４０は、そこに形成され、コレット穴４５の近位端にコレット圧縮表面４６を含むコレット穴４５、およびコレット穴４５の遠位端でコレット５０を受け入れるようにサイズ調整された開口部４７も含む。
【００５４】
コレット穴４５の近位端に配置されたコレット圧縮表面４６は、好ましくは、コレット５０と協働して、本明細書に記述のようにコレット５０を通過するチューブにコレットフィンガーを押しつける形状を持ち得る。描写実施形態では、コレット圧縮表面４６は円錐形であるが、先細表面を持つ他の非円錐形状も、本明細書に記述の圧縮表面に使用し得る。
【００５５】
スリーブ４０は、描写実施形態では、スリーブ４０の近位端４１からコレット穴４５内に延びているスリーブ経路４８をさらに含む。例えば、供給ライン経路２６に配置される供給ラインからの流体は、（流体経路４８をブロックする要素がない場合）スリーブ経路４８を通ってコレット穴４５に入ることができることが好ましい。
【００５６】
一部の実施形態では、スリーブ経路４８は、その近位端がスリーブ４０の近位端４１および密封要素４４の近位に配置されるように、本明細書に記述された送達チューブがスリーブ経路４８を通って前進できるようにサイズ調整されることが好ましいことがある。このように位置付けられた時、密封要素４４は、送達チューブの外部の周りに流体シールを形成し、送達チューブの外側の周りの流体の漏れを防止（または少なくとも実質的に制限）する。高い圧力では、送達チューブ１６の近位端が密封要素４４の近位にあるように、送達チューブ１６は密封要素４４を通って延びていることが好ましい。
【００５７】
流体カップリング１０の実施形態は、図１〜４に描写されるように、少なくともその近位端がスリーブ４０のコレット穴４５に配置されたコレット５０も含む。コレット５０は、コレット５０の近位端からコレット５０の遠位端に延びているコレット経路５３を取り囲む二つ以上のコレットフィンガー５２を含むことが好ましい。
【００５８】
コレット経路５３を取り囲むコレットフィンガー５２は、コレットフィンガー５２がコレット基部５４から本質的に片持ち梁のように作られるように、コレット５０の遠位端の近くに配置され得るコレット基部５４から延びていることが好ましい。コレットフィンガー５２のそれぞれは、コレット５０の近位端に隣接した傾斜表面５５を含むことが好ましい。
【００５９】
コレットフィンガー５２の傾斜表面５５がスリーブ４０のコレット圧縮表面４６と接触するように、コレット５０が流体カップリング１０中に組み立てられる時、カップリング１０の近位端１１に向かう近位方向へのコレット５０の動きは、コレットフィンガー５２をコレット経路５３の中心に向かって押し進める。送達チューブ１６がコレット経路５３内に配置されている場合は、フィンガー５２は本明細書に記述されたように送達チューブ１６に対して押し付けられる。コレットフィンガー５２によって送達チューブに加えられる力は、密封要素４４が送達チューブの周りにシールを形成できるように、送達チューブの近位端がスリーブ４０の近位端４１の近位に配置された状態で、流体カップリング１０の適所に送達チューブを保持する。
【００６０】
コレット５０のコレット経路５３は、任意に、少なくとも約０．０５平方ミリメートル（ｍｍ２）以上の最小つぶれ断面積を持ち得る。つまり、一部の従来的コレットとは異なり、本明細書に記述された流体カップリングと関連して使用されるコレットは、コレット経路５３に配置された品目（例えば、チューブなど）が存在しない場合に、コレット経路５３を閉じるようにつぶれないコレットフィンガーを含み得る。図３Ａは、圧縮前のコレット経路５３とフィンガー５２を示した、（図３のライン３Ａ−３Ａに沿った）コレット５０の近位端から見た端面図である。図３Ｂは、フィンガー５２がすべて互いに接触するように、コレットフィンガー５２が圧縮された時に見た同じ図である。このようなコレット５０は、コレット経路５３を提供するために、例えば従来的なコレットを掘ることによって、製造し得る。
【００６１】
コレット５０が配置されている流体カップリングが、コレット経路５３を通過する円形チューブと共に使用される場合、コレットフィンガー５２によって適切なクランプ力がチューブに加えられるように、コレット経路５３は、コレット５０を通過する送達チューブの外径以下の最小つぶれ直径を持ち得る。
【００６２】
図１〜４の流体カップリング１０は、コンプライアンス部材６０も含む。コンプライアンス部材６０の近位端は、コレットフィンガー５２に作用して、近位方向にコレット５０を押し進める。図１〜４に示されるコンプライアンス要素６０は、近位スリーブ６２および遠位スリーブ６４の２つの構成要素の形態である。近位スリーブ６２の近位端は、コレットフィンガー５２と接触し、それに作用する一方、遠位スリーブ６４は、近位スリーブ６２の遠位端に作用する。本明細書に記述されるように、少なくとも一つの近位スリーブ６２および遠位スリーブ６４は、コレット圧縮部材８０が近位方向に前進してコレット５０をスリーブ４０のコレット穴４５内に押し進めるにつれて、弾性的に変形する弾性的に圧縮可能な弾性重合体を含むことが好ましいことがある。
【００６３】
一つの実施形態では、近位スリーブ６２は、第一の高分子で作られたチューブの形態であり得る一方、遠位スリーブ６４は、第二の高分子で作られたチューブの形態であり、ここで第二の高分子は弾性的に圧縮可能な弾性重合体である。このような実施形態では、近位スリーブ６２は、例えば、ナイロンまたは別の高分子（例えば、アセタール、ポリカーボネート、アクリル、硬質ポリウレタンなど）で作られ得るが、金属、セラミックなどのより硬い材料を使用することができる。遠位スリーブ６４は、例えば、ウレタンまたは別の弾性的に圧縮可能な弾性重合体（例えば、ゴム、熱可塑性ポリウレタン（例えば、ＰＥＬＬＥＴＨＡＮＥ  ２３６３  ９０Ａ（Ｄｏｗ  Ｃｈｅｍｉｃａｌから入手可能）など）、フルオロエラストマー（例えば、ＶＩＴＯＮ（ＤｕＰｏｎｔ  Ｐｅｒｆｏｒｍａｎｃｅ  Ｅｌａｓｔｏｍｅｒｓから入手可能）など）、ブタジエンとアクリロニトリルの共重合体（例えば、Ｂｕｎａ−Ｎなど）など）で作られる。
【００６４】
コンプライアンス要素６０は描写実施形態では２つのサブ構成要素の形態であるが、他の実施形態では、コンプライアンス要素６０は単一構成要素として提供され得る。このような実施形態では、コンプライアンス部材６０の一部またはすべてを、弾性的に圧縮可能な弾性重合体で作ることが好ましいことがある。
【００６５】
図１〜４に示される流体カップリング１０の実施形態は、スリーブ４０のコレット穴４５のコレット５０内に納まるようにサイズ調節されたオプションのガイド部材７０も含む。ガイド部材７０は、ガイド部材７０の遠位端７２から近位端に延びているガイド穴７４につながる円錐表面を持つ遠位端７２を含む。送達チューブ１６がコレット経路５３を通って近位方向に前進できるように、ガイド部材７０は、コレット経路５３を持つ流体カップリング１０の遠位端１２に挿入される送達チューブ１６を整列またはガイドするのを支援し得る。一部の実施形態では、ガイド部材７０は送達チューブ１６をガイドするために必要ない（例えば、コレット５０そのものがガイド構造を持つ場合など）ことがあるため、ガイド部材７０はオプションである。もし提供される場合、ガイド部材７０は、任意の適切な材料（例えば、ポリマー、セラミック、ガラス、金属など）で作られ得る。
【００６６】
図１〜４に示される流体カップリングの実施形態に描写された一つの関係は、コレット５０のコレットフィンガー５２で画定されるコレット経路５３に対して、密封要素４４で形成されるシールの配置である。図１〜４に示されるものなど、一部の実施形態では、密封要素４４で形成されるシールは、コレットフィンガー５２の間に配置されたコレット経路５３から近位に配置される。
【００６７】
一部の実施形態では、（密封要素４４が送達チューブの外面の周りにシールを形成できるように）送達チューブの近位端が密封要素４４の近位に配置されるように、送達チューブ（例えば、図１の送達チューブ１６を参照）は、コレットフィンガー５２によって形成されたコレット経路５３を通り、さらにスリーブ経路４８を通って近位に前進する。送達チューブは、送達チューブの近位端が供給ライン経路２６の遠位端内に配置されるように、さらに近位に前進する。一部の実施形態では、供給ライン経路２６の開口部２５は、送達チューブの近位端を供給ライン経路２６の開口部２５に入れるのを促進するために、供給ライン経路２６の残りに対してわずかに広げられ得る。
【００６８】
図１〜４に示される流体カップリング１０は、流体カップリング１０の遠位端１２に配置されたコレット圧縮部材８０も含む。コレット圧縮部材８０は、内面８２、外面８４および、送達チューブ１６がコレット圧縮部材８０を通過して流体カップリング１０に入ることができるように、内面８２から外面８４までコレット圧縮部材８０を通って形成されたチューブ経路８３を含む。
【００６９】
ハウジング２０およびコレット圧縮部材８０が互いの方へ前進し、コンプライアンス部材６０の遠位端に（描写実施形態では、遠位スリーブ６４の遠位端に）コレット圧縮部材８０の内面８２を押し付けるのに必要な圧縮力を提供するように、コレット圧縮部材８０はハウジング２０と係合することが好ましい。コレット圧縮部材８０とハウジング２０の係合によって提供される圧縮力は、コンプライアンス部材６０の近位端をコレット５０にも押し付ける（描写実施形態では、近位スリーブ６２の近位端がコレット５０に押し付けられる）。
【００７０】
コレット圧縮部材８０とハウジング２０のの係合によって提供される圧縮力は、コレットフィンガー５２の傾斜表面を、スリーブ４０のコレット圧縮表面４６にも押し付ける。結果として、コレット５０がコレット経路５３内に配置されたチューブ（例えば送達チューブ１６）上に締め付けられるように、コレットフィンガー５２は、コレット経路５３に向かって内向きに押し進められる。
【００７１】
コレット圧縮部材８０とハウジング２０の係合によって提供される圧縮力は、スリーブ４０の密封端４３をハウジング２０の一次穴２２の近位面２３に向かっても押し進める。圧縮力は、密封要素４４および／またはスリーブの密封端４３を一次穴２２の近位面２３に対して圧縮することによって、シールを形成するのを助け得る。
【００７２】
図４は、コレット圧縮部材８０およびスリーブ４０とコンプライアンス部材６０の遠位端を描写している（明確にするために、コレット５０およびオプションのガイド部材７０は除去されている）。描写実施形態では、コレット部材８０は、内側ナット８６および外側スリーブ８８を含む。内側ナット８６は、コレット圧縮部材８０がねじ山８７およびハウジング２０上のねじ山２４を使用して近位方向に前進するとき、本明細書に記述の圧縮力を提供するように、ハウジング２０上のねじ山２４と係合するように設計されたねじ山８７を含むことが好ましい。
【００７３】
外側スリーブ８８は、内側ナット８６上に適合し、内側ナット８６の近位縁９０上に適合する唇縁８９によってその上に保持され得る。外側スリーブ８８は、外側スリーブ８８の手動回転を促進するために、外面上にリブ９１または他の機能をさらに含み得る。
【００７４】
図５を参照すると、内側ナット８６の外面９２は、好ましくは内側ナット８６の中心から外向きに延びている一つ以上の隆線９３を含むことが好ましい（該中心はコレット圧縮部材８０のチューブ経路８３によって一般的に画定される）。描写された隆線９３は、内側ナット８６の中心から放射状に配向されているが、すべての実施形態で放射状に配向されているとは限らない。
【００７５】
図６を参照すると、外側スリーブ８８の内面は、好ましくは外側スリーブ８８の中心から内向きに延びている片持ち梁スプリング９４上に配置された一つ以上の隆線９５を含むことが好ましい（該中心はコレット圧縮部材８０のチューブ経路８３によって一般的に画定される）。スプリング９４は、（スリーブ８８の中心の）その内側端が外側スリーブ８８に接続されていない状態で、その外側端で外側スリーブ８８に接続されているので、片持ち梁として記述されている。結果として、スプリング９４上の力は、スプリング９４の内側端をそらすことができる一方、外側端は外側スリーブ８８に対して本質的に不動のままとなる。描写された隆線［９３］は、外側スリーブ８８の中心から放射状に配向されているが、すべての実施形態で放射状に配向されているとは限らない。また、描写実施形態では、各スプリング９４は一つの隆線９５を含むが、他の実施形態では、一つ以上のスプリング９４が二つ以上の隆線９５を含み得る。
【００７６】
内側ナット８６上の隆線９３および外側スリーブ８８上の隆線９５は、外側スリーブ８８を使用して内側ナット８６に加えることのできるトルクを制限するものの、自動車産業で使用されるラチェット燃料キャップで見られるものと同様の方法で内側ナット８６を取り外すかまたは緩めることを可能にする方法で互いに相互作用することが好ましい。一部の実施形態では、締め付けプロセスの間に、隆線９３および９５が互いに相互作用する時、締め付けプロセスは、ユーザーに触覚および可聴フィードバックの一つまたは両方を提供し得る。内側ナット８６および外側スリーブ８８上の隆線９３および９５の間の相互作用は、図７Ａおよび７Ｂに示される。
【００７７】
図７Ａには、コレット圧縮部材８０の締め付け中の、内側ナット８６上の隆線９３と外側スリーブ８８上の隆線９５の間の相互作用がより詳細に描写されている。図７Ａに見られるように、隆線９５は傾斜表面９６を持ち得る。本明細書に記述のようにコレット圧縮部材８０とハウジング２０の間に圧縮力を提供するために、外側スリーブ８８および内側ナット８６が長手方向軸１３の周りに（図７Ａの矢印の方向に）回転するにつれ、選択されたトルク限度を超えると、傾斜表面９６を持つ隆線９５がずり上がって内側ナット８６上の隆線９３を越える。
【００７８】
図７Ｂには、コレット圧縮部材８０を緩める間の、内側ナット８６上の隆線９３と外側スリーブ８８上の隆線９５の間の相互作用がより詳細に描写されている。図７Ｂに見られるように、隆線９５は表面９７を含み、隆線９３は表面９８を含み、これらは図７Ｂに示される矢印の方向への動きの間に互いに逆らって働く。表面９７および９８は互いに干渉し合い、どちらも傾斜していないので、外側スリーブ８８の長手方向軸１３の周りの図７Ｂの矢印の方向への回転は、内側ナット８６も回転させ、それによって本明細書に記述したようにコレット部材８０とハウジング２０との間の圧縮力を減少させる。
【００７９】
隆線９３および９５の構造に加えて、内側ナット８６および外側スリーブ８８を使用して加えることのできるトルク（および、従って圧縮力）の制御を、その上に隆線９５が配置されているスプリング９４の厚さ、形状および他の機能を変更することによって調節することができるが、これはこのような変更が、各スプリング９４によって加えられるスプリング係数（および、従って力）を変えることができるからである。スプリングによって提供されるスプリング力を制御することに加えて、隆線、隆線間の界面などの傾斜表面の傾斜角度を変更することによって、トルク限度制御も影響を受ける可能性がある。
【００８０】
構造に加えて、隆線９３および９５、スプリング９４、内側ナット８６、および外側スリーブ８８を作るために使用される材料は、望ましいトルク限度を提供しながら、望ましい時に内側ナット８６を緩める能力も維持するように選択され得る。一部の実施形態では、例えば、内側ナット８６および外側スリーブ８８は、例えば金属、高分子（例えばポリカーボネート、ナイロン、ポリエチレン、アセタールなど）で作られ得る。
【００８１】
一部の実施形態では、本明細書に記述されたようにコレット圧縮部材８０によって提供されるトルク限度の上限は、例えば、１．４ニュートンメートル（約１２インチ・ポンド）以下、一部の実施形態では１．１ニュートンメートル（約１０インチ・ポンド）以下程度であり得る。コレット圧縮部材８０は、少なくとも０．７ニュートンメートル（約６インチ・ポンド）のトルクを提供できることが好ましいことがある。
【００８２】
コレット圧縮部材８０は内側ナット８６および外側スリーブ８８を含むが、他の実施形態では、本明細書に記述のように、コレット圧縮部材８０は、ねじ山および、流体カップリングの残りの部分と共に働くように設計された内面を持つワンピースのキャップの形態で提供され得る。しかし、一部の実施形態は、本明細書に記述されたように、一般的に、ツーピースのコレット圧縮部材８０のトルク制限機能を提供しない。
【００８３】
本明細書に記述された流体カップリングに使用されるコレット圧縮部材は、一部の実施形態では、コレット上に圧縮力を提供するためのねじ山または他の機能が関与していない時でも、流体カップリング上にコレット圧縮部材を保持するように設計された機能を含み得る。このような機能の例には、本明細書に記述のように、コレット圧縮部材がコレットを圧縮するために使用されていない時、コレット圧縮部材の流体カップリングからの除去を制限するように互いに干渉し合う、内側ナット８６の内面およびハウジング２０の外面上の干渉ショルダーを含み得る。さらに、コレット圧縮部材がコレットを圧縮するために使用されていない時でも、コレット圧縮部材の流体カップリングからの除去を制限することは、流体カップリングの構成要素すべてを正しく組み立てられた状態に保持するために有効であり得る。
【００８４】
本明細書に記述された流体カップリングは、注入フローシステムに提供することができ、より具体的には、流体カップリングは、例えば、米国特許第６，８０５，６８４号（Ｂｏｎｎｅｔｔｅ、その他）、米国特許第６，８７５，１９３号（Ｂｏｎｎｅｔｔｅ、その他）、米国特許第６，７５５，８０３（Ｌｅ、その他）、米国特許出願公開第ＵＳ２００６／００６４１２３Ａ１号（Ｂｏｎｎｅｔｔｅ、その他）、米国特許出願公開第ＵＳ２００７／０１２９６７９号（Ｂｏｎｎｅｔｔｅ、その他）、米国特許出願公開第ＵＳ２００８／０１８８８３１号（Ｂｏｎｎｅｔｔｅ、その他）、および米国特許出願公開第ＵＳ２００８／０３１２６７１号（Ｒｉｌｅｓ、その他）に記述された血栓切除カテーテルまたは流入フローガイドワイヤを含むシステムで使用され得る。
【００８５】
本明細書に記述された流体カップリングを使用し得る一つのシステムの例証的実施形態が、図８に概略的に示されており、ここでシステム１００は、流体カップリング１１０を通してカテーテル１０４に接続された流体供給装置１０２を含む。流体供給装置１０２は、例えば、送達されるべき流体を含む貯留槽、および貯留槽から流体カップリング１１０に供給チューブ１１４を通して流体を移動することのできる流体ポンプを含み得る（例えば、米国特許第７，９３５，０７７号（Ｔｈｏｒ、その他）または米国特許第７，０９４，２１６号（Ｔｒｏｍｂｌｅｙ、その他）を参照し、これらは両方とも参照により本明細書に組み込まれる）。流体カップリング１１０の近位またはポンプ側で、供給チューブ１１４は、流体供給装置１０２を流体カップリング１１０に流体連結する。流体カップリング１１０の遠位またはカテーテル側で、送達チューブ１１６は、流体カップリング１１０および流体供給装置１０２から遠ざかるように遠位に、カテーテル１０４内へ、および／またはそれを通して流体を運ぶ。
【００８６】
その中で本明細書に記述された流体カップリングを使用し得る流体送達システムの動作圧力は、例えば、５０  ｐｓｉ〜２０，０００  ｐｓｉの範囲であり得る。一部の実施形態では、流体送達チューブ１１６は、外径が約０．０１４インチ（０．３５  ｍｍ）で、内径が約０．０１０インチ（０．２５  ｍｍ）の円形チューブであり得るが、他のチューブ形状および／または寸法も使用し得る。
【００８７】
一部の実施形態では、本明細書に記述された注入フローシステムは、流体供給装置１０２が供給チューブ１１４に１０，０００  ｐｓｉ以上の圧力で流体を送達する時、供給チューブ１１４から送達チューブ１１６に流体を送達することができる流体カップリング１１０を含み得る。他の実施形態では、本明細書に記述された注入フローシステムは、流体供給装置１０２が供給チューブ１１４に１５，０００  ｐｓｉ以上の圧力で流体を送達する時、供給チューブ１１４から送達チューブ１１６に流体を送達することができる流体カップリング１１０を含み得る。一部の実施形態では、送達チューブ１１６は、１ミリメートル以下の外径を持ち得る一方、他の実施形態では、送達チューブ１１６は０．５ミリメートル以下の外径を持ち得る。
【００８８】
図９は、本明細書に記述されたように、流体カップリングの別の実施形態に提供され得るさまざまな構成要素を示す拡大組立図であり（これは図８のシステムに使用され得る）、一方図１０は、構成要素を組み立てた後の流体カップリング２１０の拡大断面図である。カップリング２１０は、供給ライン２１４と送達チューブ２１６の間の流体連結を達成するために使用される（例えば、図９を参照）。
【００８９】
図９および１０に示される流体カップリング２１０は、近位端２１１および遠位端２１２を含み、流体カップリング２１０の構成要素は長手方向軸２１３に沿って組み立てられる。上述のように、本明細書に記述の流体カップリング２１０のさまざまな構成要素は、近位端および／または遠位端を持つとして記述され得る。本明細書で使用される場合、任意のこのような構成要素の近位端は、流体カップリング２１０の近位端２１１に最も近い構成要素の端部であり、任意のこのような構成要素の遠位端は、流体カップリング２１０の遠位端２１２に最も近い構成要素の端部である。
【００９０】
図９〜１０に描写された流体カップリング２１０は、ハウジング２２０を含む。ピストン２７０、密封要素２６０、およびスリーブ２４０は、描写されるようにハウジング２２０内に配置される。コレット２５０は、スリーブ２４０内に納まり、コレット圧縮部材２８０はスリーブ２４０内にコレット２５０を保持する。
【００９１】
流体カップリング２１０のハウジング２２０は、流体カップリング２１０の遠位端２１２に面する開口部２２７を持つ一次穴２２２を含む。一次穴２２２は、その近位端（すなわち、流体カップリング２１０の近位端２１１に最も近い一次穴２２２の端部）に近位面２２３を含む。
【００９２】
ハウジング２２０は、そこに形成された供給ライン経路２２６も含み、供給ライン経路２２６を遠位方向（すなわち、流体カップリング２１０の遠位端２１２の方へ）に通過する流体が近位面２２３の開口部２２５を通って一次穴２２２に向かって送達されるように、供給ライン経路２２６はハウジング２２０の近位端２２１から一次穴２２２の近位面２２３の開口部２２５まで延びている。
【００９３】
流体カップリング２１０の近位端２１１から流体カップリング２１０中に流体を送達するために、供給ライン２１４を供給ライン経路２２６の中に挿入できるように、供給ライン経路２２６は十分大きいことが好ましい。
【００９４】
描写実施形態では、流体カップリング２１０は、ハウジング２２０に取り付けられた供給ラインが供給ライン経路２２６に入る前に張力緩和環２３４の管腔２３５を通って延びているように、ハウジング２２０の近位端２２１に取り付けられた張力緩和環２３４を含む。張力緩和環２３４は、供給ライン２１４が流体カップリング２１０の近位端２１１に入る点で、供給ライン２１４のねじれを制限することが好ましい。張力緩和環２３４は、任意の適切な技術（例えば、接着剤、オーバーモールド、溶接（熱、化学など））でハウジング２２０に固定して取り付けられ得る。追加的な張力緩和（非表示）も、送達チューブにおける同様の目的で、遠位端上に使用し得る。
【００９５】
ハウジング２２０は、一部の実施形態では、例えば、フィンまたはハウジング２２０の長手方向軸２１３の周りの回転に関しての手動制御を支援できる他の構造などの外部機能を含む。
【００９６】
流体カップリング２２０は、ハウジング２２０の一次穴２２２内に配置されたピストン２７０を含む。ピストン２７０は、その近位端２７１に高圧力面２７１を含み、高圧力面２７１は一次穴２２２の近位面２２３に面している。ピストン２７０は、ピストン２７０の遠位端に密封表面２７３を含む密封先端２７２も含む。密封表面２７３は、スリーブ２４０に面し、スリーブ２４０に形成される密封空洞２４２に配置される。描写実施形態では、密封表面２７３は、スリーブ２４０の密封空洞２４２に配置された密封要素２６０に作用する。
【００９７】
ピストン２７０の高圧力面２７１は、密封要素２６０に作用する密封表面２７３の表面積よりも大きい、近位方向に面する表面積を持つ。相対表面積の差は、ピストン２７０の密封表面２７３によって、密封要素２６０に与えられる圧縮力の増幅または集中に有用であり得る。一般的に、ピストン２７０によって与えられる力は、高圧力面２７１の表面積および、カップリング２１０の近位端２１１にねじ込まれた供給ラインによって一次穴２２２に送達される任意の流体の流体圧力の関数である。次にその力は、ピストン２７０の密封表面２７３によって、密封要素２６０に大部分が伝えられる。
【００９８】
ピストン２７０は、ピストンを通って、その近位端の高圧力面２７１から、ピストンの遠位端の密封先端２７２の密封表面２７３まで延びているピストン経路２７６も含む。ピストン経路２７６は、近位面２２３の開口部２２５からの流体がそれを通って、流体カップリング２１０の遠位端に向かってピストン２７０を通って流れることができる経路を提供する。
【００９９】
流体カップリング２１０は、ピストン２７０の近位端と遠位端の間に配置されたピストンシール２７４も含む。ピストンシール２７４は、一次穴２２２に送達される流体が、（近位面２２３の開口部２２５を通って）ピストン２７０の外面と一次穴２２２の内面の間を、ピストン２７０の遠位端まで流れるのを防止するように機能することが好ましい。ピストンシール２７４は、異なる形態（例えば、ガスケットなど）を取り得る。Ｏリングの形態の描写されたピストンシール２７４は円形断面形状を持つが、他の断面形状を持つＯリング／ガスケットも使用できる、例えば正方形、台形（例えば、四分葉四分シールなど）。形態にかかわらず、シール２７４は、一次穴２２２内でのピストン２７０の並進運動を可能にしながら、それでもなおその密封機能を果たすことが望ましいことがある。
【０１００】
上述のように、流体カップリング２１０はスリーブ２４０も含み、スリーブ２４０の少なくとも近位端は、ハウジング２２０の一次穴２２２内に配置される。描写実施形態では、スリーブ２４０の遠位端は一次穴２２２の外側に配置されるが、このような配置は必要ではない（すなわち、一部の実施形態では、スリーブ２４０の遠位端は、ハウジング２２０の一次穴２２２内に潜在的に配置され得る）。
【０１０１】
スリーブ２４０は、ピストン２７０に面している密封空洞２４２および一次穴２２２の近位面２２３をさらに含み、ピストン２７０は、スリーブ２４０と一次穴２２２の近位端２２３の間に配置される。密封空洞２４２はピストン２７０および一次穴２２２の近位面２２３に向かって開き、密封表面２７３が密封空洞２４２内に配置されるように、密封先端２７２を（少なくとも部分的に）受け入れる。
【０１０２】
密封要素２６０は、密封空洞２４２内のピストン２７０の密封表面２７３と密封空洞２４２の末端表面２４４の間（密封空洞２４２の末端表面２４４は、密封空洞２４２の遠位端に配置される）に配置される。例えば、送達チューブ（図９には見られるが、図１０にはない）が密封要素２６０を通って流体カップリング２１０の遠位端２１３から延長できるように、密封要素２６０は、密封要素２６０を通ってその近位端から遠位端まで延びている密封要素経路２６２を含む。
【０１０３】
ピストン２７０が（例えば、一次穴２２２の近位面２２３とピストン２７０の高圧力面２７１の間に配置された高圧力流体によって）遠位方向に押し進められる時に、密封要素２６０が密封空洞２４２内の密封表面２７３と密封空洞２４２の末端表面２４４との間で圧縮されるように、密封要素２６０は、弾性的に圧縮可能な弾性重合体をその構造中に含むことが好ましい。圧縮によって、密封要素２６０が、密封要素経路２６２を通過する送達チューブの外面の周りにシールを形成することが好ましい。
【０１０４】
オプションのバイアス要素２６６を、流体カップリング２１０のハウジング２２０の一次穴２２２内に提供し得る。バイアス要素２６６は、バイアス要素２６６がピストン２７０を近位にスリーブ２４０から離れて押し進めるように、一次穴２２２内に配置される。ピストン２７０の高圧力面２７１に作用している高圧力流体がない時に、密封要素２６０が、ピストン２７０を近位方向の一次穴２２２の近位面２２３に向かって動かすために十分な弾性がある場合は、バイアス要素２６６は必要ないことがある。
【０１０５】
力をピストン２７０に提供するためには、スリーブ２４０がバイアス要素２６６に対する止め具として働くように、スリーブ２４０は遠位方向の動きに抵抗することが好ましい。スリーブ２４０が一旦一次穴２２２に挿入されたら、何らかの方法で保持機構を解除せずに取り外すことができないように、スリーブ２４０は保持機構によって一次穴２２２内に保持されることが好ましいので、スリーブ２４０はその止め具機能を提供できる。描写実施形態では、図１１（図９〜１０に示される実施形態に提供された保持機構の拡大断面図）を参照すると、保持機構は、一次穴２２２の内面に形成された第一のスナップ式機能（例えば、唇縁２２８）およびスリーブ２４０の外面に形成された第二のスナップ式機能（例えば唇縁２２７）の形態で提供される。一次穴２２２内の第一の唇縁２２８およびスリーブ２４０上の第二の唇縁２２７は、スリーブ２４０を一次穴２２２に挿入した後、互いに対抗して、スリーブ２４０および／またはハウジング２２０の変形がない場合に、スリーブ２４０が一次穴２２２から外れるのを防止する。
【０１０６】
保持機構が一次穴２２２中にスリーブ２４０を保持することができるならば、多くの他の保持機構が、描写した機構の代用となり得る。有用である可能性のあるいくつかの代替的保持機構の例には、ハウジング２２０の遠位端上に位置付けられたねじ式またはスナップ式の環が含まれるが、これに限定されない。一部の実施形態では、ハウジング２２０の一次穴２２２にスリーブ２４０を保持するために、機械的保持機構の代わりに接着剤、溶接（熱、化学など）を使用することが可能であり得る。
【０１０７】
図９〜１０に示されるように、バイアス要素２６６は、コイルスプリングの形態であるが、バイアス要素が提供される場合、コイルスプリングの代わり、またはそれに加えて他の多くのバイアス要素を使用し得る（例えば、弾性エラストマープラグなど）。
【０１０８】
密封空洞２４２に加えて、スリーブ２４０は、そこに形成され、コレット穴２４５の近位端にコレット圧縮表面２４６を含むコレット穴２４５、およびコレット穴２４５の遠位端でコレット２５０を受け入れるようにサイズ調整された開口部を含む。
【０１０９】
スリーブ２４０は、描写実施形態では、密封空洞２４２からコレット穴２４５内に延びている流体経路２４８をさらに含む。例えば、供給ライン経路２２６に配置される供給ラインからの流体は、（流体経路２４８をブロックする要素がない場合）流体経路２４８を通ってコレット穴２４５に入ることができることが好ましい。
【０１１０】
一部の実施形態では、流体経路２４８は、その近位端が密封要素２６０の近位に配置されるように、本明細書に記述された送達チューブが流体経路２４８を通って前進できるようにサイズ調整されることが好ましいことがある。高圧力では、送達チューブの近位端が、流体カップリング２１０を通して遠位端２１２から、送達チューブの近位端がハウジング２２０の供給ライン経路２２６内に配置されるまで前進することが好ましい。
【０１１１】
コレット２５０は、スリーブ２４０のコレット穴２４５内に配置された少なくともその近位端を含むことが好ましい。流体カップリング２１０に使用されるコレット２５０は、流体カップリング１０に関連して本明細書で記述されたコレット５０に類似していることが好ましい。すなわち、コレット２５０は、コレット２５０の近位端からコレット２５０の遠位端まで延びているコレット経路２５３を取り囲む二つ以上のコレットフィンガー２５２を含むことが好ましい。コレット２５０がスリーブ２４０のコレット穴２４５内に配置されているとき、流体は、スリーブ２４０のコレット穴２４５からコレット経路に入ることができることが好ましい。
【０１１２】
コレット穴２４５の近位端に配置されたコレット圧縮表面２４６は、好ましくは、コレット２５０と協働して、本明細書に記述のようにコレット経路２５３を通過する送達チューブにコレットフィンガー２５２を押しつける形状を持ち得る。描写実施形態では、コレット圧縮表面２４６は円錐形であるが、先細表面を持つ他の非円錐形状も、本明細書に記述の圧縮表面に使用し得る。
【０１１３】
コレット経路２５３を取り囲むコレットフィンガー２５２は、コレットフィンガー２５２がコレット基部２５４から本質的に片持ち梁のように作られるように、コレット２５０の遠位端のより近くに配置され得るコレット基部２５４から延びていることが好ましい。コレットフィンガー５２のそれぞれは、コレット２５０の近位端に隣接した傾斜表面を含むことが好ましい。
【０１１４】
コレットフィンガー２５２の傾斜表面がスリーブ２４０のコレット圧縮表面２４６と接触するように、コレット２５０が流体カップリング２１０中に組み立てられる時、カップリング２１０の近位端２１１に向かう近位方向へのコレット２５０の動きは、コレットフィンガー２５２をコレット経路２５３の中心に向かって押し進める。送達チューブがコレット経路２５３内に配置されている場合は、送達チューブを流体カップリング２１０内に保持するために、フィンガー２５２は本明細書に記述されたように送達チューブに対して押し付けられる。
【０１１５】
コレット２５０のコレット経路２５３は、任意に、少なくとも約０．０５平方ミリメートル（ｍｍ２）以上の最小つぶれ断面積を持ち得る。つまり、一部の従来的コレットとは異なり、本明細書に記述された流体カップリングと関連して使用されるコレットは、コレット経路２５３に配置された品目（例えば、チューブなど）が存在しない場合に、コレット経路２５３を閉じないコレットフィンガーを含み得る（例えば、図３と３Ａおよびコレット５０に関する関連考察を参照）。コレット２５０が配置されている流体カップリングが、コレット経路２５３を通過する円形チューブと共に使用される場合、コレットフィンガー２５２によって適切なクランプ力がチューブに加えられるように、コレット経路２５３は、コレット２５０を通過するチューブの外径以下の最小つぶれ直径を持ち得る。
【０１１６】
図９〜１０に示される流体カップリング２１０は、流体カップリング２１０の遠位端２１２に配置されたコレット圧縮部材２８０も含む。コレット圧縮部材２８０は、内面２８２、外面２８４および、送達チューブがコレット圧縮部材２８０を通過して流体カップリング２１０に入ることができるように、内面２８２から外面２８４までコレット圧縮部材２８０を通って形成されたチューブ経路２８３を含む。
【０１１７】
スリーブ２４０およびコレット圧縮部材２８０が互いの方へ前進し、コレット２５０の遠位端に対してコレット圧縮部材２８０の内面２８２を押し付けるのに必要な圧縮力を提供できるように、コレット圧縮部材２８０はスリーブ２４０と係合することが好ましい。
【０１１８】
一部の実施形態では、軸２１３の周りのコレット圧縮部材２８０の回転が、コレット圧縮部材２８０を近位方向に動かすように、スリーブ２４０およびコレット圧縮部材２８０は、補完的ねじ山２８６を含み得る。一部の実施形態では、コレット圧縮部材２８０は、ハウジング２２０まで延長でき、スリーブ２４０ではなく（例えば、ねじ山などによって）ハウジング２２０に接続できる。また、描写実施形態ではねじ山２８６が使用されているが、他の任意の適切な接続を、ねじ山の代わりに使用し得る（例えば、ラチェット接続、スナップ式など）。
【０１１９】
コレット圧縮部材２８０とスリーブ２４０の係合による圧縮力は、コレットフィンガー２５２の傾斜表面もスリーブ２４０のコレット圧縮表面２４６に対して押し付ける。結果として、コレット２５０がコレット経路２５３内に配置されたチューブを締め付けるように、コレットフィンガー２５２は、コレット経路２５３に向かって内向きに押し進められる。
【０１２０】
図９〜１０の実施形態と関連しては描写されていないが、コレット圧縮部材２８０は、流体カップリング１０のコレット圧縮部材８０に関連して記述されたものなどのトルク制限機能を含み得る（例えば、内側ナットに加えることのできるトルク、従って、コレットに加えることのできる力を制限するために協働する内側ナットおよび外側スリーブ）。
【０１２１】
流体カップリング２１０のさまざまな構成要素は、任意の適切な材料または材料の組み合わせで製造し得る（例えば、高分子、金属、セラミック、複合材料など）が、本明細書で考察したように、張力緩和、密封要素などに使用される材料は、弾性的に柔軟であることが好ましいことがある。
【０１２２】
背景、例証的実施形態の説明および本明細書のその他で引用された特許の完全開示、特許文書、および広報は、それぞれが個々に組み込まれたとして、参照によってその全体を組み込む。
【０１２３】
カテーテルおよび方法の例証的実施形態が考察され、この開示の範囲内で可能なバリエーションが言及されている。本開示のこれらおよび他のバリエーションおよび変更は、本明細書に記述の範囲を逸脱することなく、当業者には明らかとなり、当然のことながら、この開示は本明細書に記述された例証的実施形態に制限されない。
0005877294.tif 000002
【図１】
0005877294.tif 000003
【図２】
0005877294.tif 000004
【図３】
0005877294.tif 000005
【図３Ａ】
0005877294.tif 000006
【図３Ｂ】
0005877294.tif 000007
【図４】
0005877294.tif 000008
【図５】
0005877294.tif 000009
【図６】
0005877294.tif 000010
【図７Ａ】
0005877294.tif 000011
【図７Ｂ】
0005877294.tif 000012
【図８】
0005877294.tif 000013
【図９】
0005877294.tif 000014
【図１０】
0005877294.tif 000015
【図１１】
0005877294.tif 000016